(57)【特許請求の範囲】
【請求項１】
壁を水平方向に貫通して取り付けられると共に、排気管の先端の排気口１ｂが給気口１ａの中心を抜けるようにして突出して形成された給排気トップ１に用いられる給排気トップ用給気カバーであって、この給気カバーのカバー本体１０は、前枠１１と後枠１２を中央で合わせて前後に幅調整自在に構成されていると共に、下方にスライドして下端面に形成したカバー側給気口１７の位置を下方に延長自在に構成された全体が偏平な長方形状を呈し、更に、このカバー本体１０は、この上部において前記給排気トップの給気口１ａを内部に位置させて囲撓するために、前枠１１にはトップカバー取付穴１３が形成され、後枠１２には化粧カバー取付穴１４が形成されていること、を特徴とする給排気トップ用給気カバー。
【発明の詳細な説明】
【０００１】
【発明の属する技術分野】
本発明は、給湯器、ストーブ等の薄型給排気トップを軒の深い建物の外壁や下り壁のある廊下の天井付近に取り付けたり、或いは天井の周囲が建造物等で囲まれていて排気がよどむようなところに取り付けた際に、異常燃焼が発生するのを防止するための給気カバーであって、更に詳しくは、既存の給排気トップに取り付けたり、条件の悪い場所に給排気トップを新規に取り付ける場合に、異常燃焼が発生しないように給気条件を改善するための薄型給排気トップ用給気カバーに関するものである。
【０００２】
【従来の技術】
燃焼器具の給排気トップであって、薄型の場合、図６に示すように、給排気トップ１の正面側に下端が給排気トップ１よりも低い下り壁２が存在し、天井３が接近していると、下り壁２によって囲まれた廊下４の天井部分に排気のよどみａが出来て異常燃焼を発生するようになる。このため、財団法人日本ガス機器検査協会による「ガス機器の設置基準及び実務指針」では、軒の深い建物等で軒等の先端に下り壁がある場合、その下端と給排気トップ１の上端との間隔を１００ｍｍ以上とすること、とされている。図６において、１ａは給気口、１ｂは排気口である。
【０００３】
【発明が解決しようとする課題】
しかし、設置条件によっては、この基準を満たすことが出来ない場合がある。又、後発的な事情によって設置条件が満たされなくなる場合もある。又、初めから基準を満たす位置に給排気トップを取り付けることができない場合もある。
本発明は、斯かる点に鑑みて提案されるものであって、上記「ガス機器の設置基準」を満たさない場合にはこれを改善し、基準を満たさず、給排気トップを取り付けることができない場合には、取り付けることができるように改善して、異常燃焼の発生を防止する給気カバーを提供するのが目的である。
【０００４】
【課題を解決するための手段】
上記目的を達成するため、請求項１に記載の発明においては、給排気トップ用給気カバーにおいて、壁を水平方向に貫通して取り付けられると共に、排気管の先端の排気口１ｂが給気口１ａの中心を抜けるようにして突出して形成された給排気トップ１に用いられる給排気トップ用給気カバーであって、この給気カバーのカバー本体１０は、前枠１１と後枠１２を中央で合わせて前後に幅調整自在に構成されていると共に、下方にスライドして下端面に形成したカバー側給気口１７の位置を下方に延長自在に構成された全体が偏平な長方形状を呈し、更に、このカバー本体１０は、この上部において前記給排気トップの給気口１ａを内部に位置させて囲撓するために、前枠１１にはトップカバー取付穴１３が形成され、後枠１２には化粧カバー取付穴１４が形成されていること、を特徴とするものである。
【０００９】
【作用】
給気カバーは、予め工場で生産し、これを現場に持ち込んで給排気トップを取り付けた後、この給排気トップに被せるようにして取り付ける。カバーは、外壁にビス等を用いて取り付けてもよいし、給排気トップ自体に固定するようにしてもよい。
【００１０】
カバーの大きさは、給排気トップの大きさ（直径）に合わせて給排気トップに被せる直径の穴のものを数種用意し、必要な場合には、目張りを行ってカバー側給気口以外から空気が流入しないようにする。或いは、あらかじめ大きい直径のものを用意し、調整板等を用いて直径の小さい給排気トップに合わせるようにしてもよい。
【００１１】
又、カバー本体は、前後又は上下にスライドさせることにより、給排気トップの出張り量或いはカバー側給気口の位置を最適に調整する。
このようにして給気カバーを給排気トップに取り付けると、排気口から排出された排気が廊下の天井部分によどんでいても、カバー側給気口はこのよどみの外（下）に位置するため、常に新鮮な空気をカバー側給気口→給気通路→給排気トップの給気口→外管→給気ダクト→燃焼器具と供給することができる。この結果、異常燃焼が発生するのを防止できる。
【００１２】
【実施例１】
図１〜図３に基づいて本発明の実施例を詳述する。
図１は給気カバーの斜視図、図２は断面図、図３は給排気トップに取り付けた状態を示すものである。１０は給気カバーを構成するカバー本体であって、このカバー本体１０は、全体形状が偏平な長方形状から成り、前枠１１と後枠１２を中央で合わせて一体化した構造である。
【００１３】
１３は前枠１１の正面の上部に開設した給排気トップ１のトップカバー１ｃが収まる直径のトップカバー取付穴、１４は後枠１２において、前記トップカバー取付穴１３と対向する位置に開設された化粧カバー取付穴、１５は前枠１１と後枠１２を前後に調整して幅を決めるためのスライド孔、１６は固定ビスであって、幅が決まるとこの固定ビス１６を締め付けて前枠１１と後枠１２を固定するものである。
【００１４】
１７は前枠１１と後枠１２の下端面に形成されたカバー側給気口であって、この給気口１７には防鳥網１８が取り付けてある。但し、この防鳥網１８は、必ずしも給排気トップ１側の給気口１ａに防鳥網が取り付けてある場合には必須ではない。１９はカバー側給気口１７と前記給排気トップ１の給気口１ａとを結ぶ給気通路である。
【００１５】
本発明に係る給排気トップ用カバーは以上の如き構成から成り、図３に示すように、給排気トップ１の化粧プレート１ｄに後枠１２の化粧カバー取付穴１４を合わせ、前枠１１のトップカバー取付穴１３にトップカバー１ｃを合わせ、排気口１ｂは前枠１１の正面側に露出させておく。カバーは、ビス等を用いて外壁に固定する。又、トップカバー取付穴１３及び化粧カバー取付穴１４間に隙間ができるような場合には、テープ或いはコーキング材等で目張りを行う。
【００１６】
上記のようにして給気カバーを給排気トップ１に取り付けると、給気位置はカバー側給気口１７となり、給排気トップ１の給気口１ａの位置よりも下に位置する。このカバー側給気口１７の位置は、下り壁２の下端のレベルの外、つまり下に位置するように、給気カバーの大きさを選択したり、或いは図４に示すように、給気カバーを下方にスライド自在に構成してカバー側給気口１７の位置を調整する。又、給気カバー側のトップカバー取付穴１３とトップカバー１ｃ、及び化粧カバー取付穴１４と化粧プレート１ｄの直径が合わない場合には、図５に示すような調整板２０をトップカバー取付穴１３及び化粧カバー取付穴１４に取りけるようにしてもよい。又、カバー側給気口１７には、図４に示すように、給気カバーの正面側及び両側面の下部に開設するようにしてもよい。
【００１７】
上記のようにして給排気トップ１の給気条件を改善すると、従来異常燃焼を起こしていた燃焼機器は、正常に燃焼するようになる。
表１は、本発明に係る給気カバーを取り付けた場合と、取り付けない場合の、排気側、給気側の各ＣＯ濃度、ＣＯ2 、Ｏ2 濃度、給気側のＯ2 濃度、及び給気カバーの下り壁からの寸法とＣＯ2 濃度の関係を測定した結果である。この測定結果から、給気カバーの取り付けにより、大幅に条件の改善が認められ、その結果、異常燃焼の発生が防止された。
【００１８】
【表１】
0003971505.tif 000002
【００１９】
【発明の効果】
本発明は以上のように、下り壁のある廊下等であって、下り壁の高さ内に給排気トップを取り付けた場合、廊下の天井と下り壁により囲まれた空間内に排気のよどみが発生しても、常に新鮮な空気をカバー側給気口から吸引できるため、異常燃焼する欠点が改善される。この結果、特に設置条件のきびしい集合住宅の場合、既設の給排気トップにおいては給気条件の改善が図れ、又新設においては燃焼障害が発生しない状態で給排気トップを取り付けることができる。
【００２０】
また、本発明の場合、ボックス状のカバーを取り付けるだけのため、改善コストも安くて済む。
又、本発明の場合、カバーの前段の幅及び下方のカバー側給気口の位置を調整できるため、給排気トップの大きさ及び現場の取付条件に対応した位置調整を行うことができて便利であり、更に、機種を少なくしてコストダウンを図ることもできる。
【図面の簡単な説明】
【図１】本発明に係るカバーの斜視図。
【図２】カバーの断面図。
【図３】給排気トップにカバーを取り付けた状態の説明図。
【図４】カバーを下方にスライドできるようにした実施例の説明図。
【図５】調整板の説明図。
【図６】従来の給排気トップと異常燃焼の説明図。
【符号の説明】
１０  カバー本体
１１  前枠
１２  後枠
１３  トップカバー取付穴
１４  化粧カバー取付穴
１５  スライド孔
１６  固定ビス
１７  カバー側給気口
１８  防鳥網
１９  給気通路
２０  調整板
【図１】
0003971505.tif 000003
【図２】
0003971505.tif 000004
【図３】
0003971505.tif 000005
【図４】
0003971505.tif 000006
【図５】
0003971505.tif 000007
【図６】
0003971505.tif 000008